(57)【要約】      （修正有）【課題】老人のいる病棟や老人ホーム、個人宅等において、痴呆症状のある老人の無断外出や、徘徊、迷子を未然に防ぐようにする。【解決手段】痴呆症状のある老人に充電式ブルートゥース発信機を装着しておき、施設の各出入口にあらかじめ登録したブルートゥースアドレス（以下ＢＤアドレス）が識別可能な親機を配置する。痴呆症状のある個々の老人に装着した個別の充電式ブルートゥース発信機端末が発信するＢＤアドレスを、親機が受信、読み取り作業を行い、音声や表示による管理者への通知を行い、無断外出や、徘徊、迷子を未然に防ぐブルートゥース信号の送受信による痴呆症状のある徘徊老人保護システム。【選択図】図１
2013143123.tif 000002
【特許請求の範囲】
【請求項１】
老人のいる病棟や老人ホーム、個人宅等において、痴呆症状のある老人が施設から無断外出し、徘徊したり迷子になったりすることを未然に防止し、保護することを目的とし、ブルートゥース無線通信とブルートゥースアドレス（以下ＢＤアドレス）を用いて行なうことを特徴とするブルートゥース信号の送受信による痴呆症状のある徘徊老人保護システム。
【請求項２】
前記記載のブルートゥース信号の送受信による痴呆症状のある徘徊老人保護システムの親機である送受信器は、痴呆症状のある複数の徘徊老人に装着されたブルートゥース無線通信端末子機の持つ、各々異なるＢＤアドレスを認識でき、複数のＢＤアドレスを識別可能であることを特徴とするブルートゥース信号の送受信による痴呆症状のある徘徊老人保護システム。
【請求項３】
前記記載のブルートゥース信号の送受信による痴呆症状のある徘徊老人保護システムは痴呆症状のある複数の徘徊老人に装着されたブルートゥース無線通信端末である子機の持つ、各々異なるＢＤアドレスとの交信に於いて、システムの親機と子機はそれぞれ複数台をほぼ同時作動可能で、複数の親機のブルートゥース受信部それぞれがブルートゥース無線通信端末である子機の持つ、各々異なる複数の子機のＢＤアドレスを認識でき、複数のＢＤアドレスを識別可能であることを特徴とする痴呆症状のある徘徊老人保護システム。
【請求項４】
前記記載のブルートゥース信号の送受信による痴呆症状のある徘徊老人保護システムは痴呆症状のある徘徊老人に装着されたブルートゥース無線通信端末が通常時は他人に装着していることがわかりにくくなっており、その作動は老人の人権や自尊心を虐げないものであることを特徴とするブルートゥース信号の送受信による痴呆症状のある徘徊老人保護システム。
【請求項５】
前記記載のブルートゥース信号の送受信による痴呆症状のある徘徊老人保護システムは親機と子機の通信において新たな電話回線使用料を発生させることなく通信を行えることを特徴とするブルートゥース信号の送受信による痴呆症状のある徘徊老人保護システム。
【発明の詳細な説明】
【発明の詳細な説明】
【技術分野】
【０００１】  本発明は、老人のいる病棟や老人ホーム、個人宅等において、痴呆症状のある老人が施設から無断外出し、徘徊したり迷子になったりすることを未然に防止し、保護することを目的とするブルートゥース無線通信を用いて行なうブルートゥース信号の送受信による痴呆症状のある徘徊老人保護システムに関する。
【背景技術】
【０００２】  老人のいる病棟や一般家庭において、被保護者として痴呆症状のある徘徊老人がいる場合がある。痴呆症状のある徘徊老人については、あらかじめ管理者や介護者が建物や庭等の専有スペースから無断で外出し、屋外を徘徊したり、迷子にならないように管理および監視することが求められている。従来から、万一被保護者が脱出、徘徊した場合には、その徘徊者を速やかに探索するためにいろいろな装置、システムが提案されている。【０００３】  例えば、特開２００１−５２２８８公報記載の「徘徊者検出および落し物防止等の音声通報装置」がある。これは親機と子機から成り、徘徊者は子機を、保護者は親機を携帯し、両機は常時無線で交信し常に互いの存在を確認している。【０００４】  そして、常時無線の交信が途絶えると、徘徊者が携帯している子機のスピーカーから、「私は徘徊者です。発見した方は電話○○−○○○○番、○○まで連絡お願い致します。」というメッセージを繰り返し発声し、周囲の第三者等に知らせるものである。【０００５】  しかしながら、この発明では徘徊者の近くに第三者がいなければ、そのメッセージを聞く人がいない。また、徘徊老人の人権、人間の尊厳に全く配慮していないという大きな問題もある。【０００６】  別の例として、特開２００３−２３３８７７公報記載の「被保護者探索システムおよびその方法」がある。こちらは、近距離通信手段と画像撮影装置を備えた携帯電話器を利用することにより徘徊者を発見する効率の高い被保護者探索システムおよびその方法を提供するものである。【０００７】  この発明はＧＰＳモジュールを内蔵する携帯電話を使えばさらに効率よく徘徊老人を探索し、発見することができるが、未然に徘徊、迷子になることを防止することはむずかしい。【０００８】  もうひとつの例として、特開２０００−２８７２６５公報記載の「忘れ物・迷子防止装置および携帯端末機器」がある。こちらは、管理者や介護者が携帯電話機以外に特別の物を所持することなく、忘れ物、迷子、盗難等を防止し得る忘れ物・迷子防止装置を提供するものであり、痴呆性のある老人が無断外出し、徘徊したり迷子になったりすることを未然に防止ことも出来るものである。【０００９】  この発明もまた携帯電話機を用いることを主体としており、発信機能を有する子機と、その信号を感知する親機が所定の距離以上離れると報知するものである。しかしながらこの発明は、子機と携帯者とともに移動状態にある親機が常に一定距離内になければ意味をなさないものであり、老人のいる大きな病棟や敷地の広い一般家庭では、運用が事実上不可能な場合が多く考えられる。また、特開２０００−２８７２６５公報の図２でその距離が２０メートルとされているが、２０メートル前後も離れてしまうと周囲に死角があった場合、目視による確認も容易ならざるものがあり、状況によっては見失ってしまう可能性も高く、本件は現実的ではない。アイディアとしては評価出来るが、携帯電話が通話中であった場合などの解決しなければならない事柄も多い。
【発明が解決しようとする課題】
【００１０】  本発明は上述の問題に鑑みてなされたもので、携帯電話に依存することなく、徘徊状態にある老人を発見することに主眼を置かず、未然に老人の病棟や老人ホーム、個人宅からの無断外出および外部徘徊を防止することを主目的とし、複数の老人を管理出来、かつ老人の人権や自尊心を虐げないことを目的とする。
【課題を解決するための手段】
【００１１】  請求項１に記載した発明は、老人のいる病棟や老人ホーム、個人宅等において、痴呆症状のある老人が施設から無断外出し、徘徊したり迷子になったりすることを未然に防止し、保護することを目的とし、ブルートゥース無線通信とブルートゥースアドレス（以下ＢＤアドレス）を用いて行なうことを特徴とする痴呆症状のある徘徊老人保護システムである。
【００１２】  この発明によれば、痴呆症状のある徘徊老人に持たせる無線通信端末子機はブルートゥース通信端末９である。本ブルートゥース通信端末９は、老人の負担にならないように軽量かつ防水性に優れ、充電機能を持つものである。老人が自室から外へ出た段階でＢＤアドレスを自室の出入口に設置した親機であるブルートゥース受信機２のひとつが受信し、自室からの外出を認識する。その後、老人は例えば病棟の各階の出入口や病棟の出入口付近にさしかかり、外出しそうな状態になると出入口に設置した親機のひとつであるブルートゥース受信機２は管理者や介護者にＢＤアドレスを提示し、どの老人かを認識させると共に老人の動きに注意することを促す。老人が例えばトイレに行っている時は、トイレの出入口に親機であるブルートゥース受信機２を設置しなければ、自室から出て、病院内にいる状態ということになり、老人の自尊心等を傷つけない配慮も出来る。また、あらかじめ複数のパターンをプログラムすることにより、痴呆症状のある徘徊老人が親機であるブルートゥース受信機２の周辺に差し掛かるときに、例えば早歩き、立ち止まり、リターン等に対応するために、短時間の反応には１回のクリック音、長時間の反応には２回のクリック音というように複数の反応時間に対する異なった識別を行うことができる。
【００１３】  請求項２に記載した痴呆症状のある徘徊老人保護システムの親機である送受信器は、痴呆症状のある複数の徘徊老人に装着されたブルートゥース無線通信端末子機の持つ、各々異なるＢＤアドレスを認識でき、複数のＢＤアドレスを識別可能であることを特徴とする痴呆症状のある徘徊老人保護システムである。
【００１４】  この発明によれば、出入口等に設置される複数の親機であるブルートゥース受信機２は、複数の老人のもつブルートゥース受信機２のＢＤアドレスを受信可能で、そのＢＤアドレスが表示モジュール６で確認できる。表示されるＢＤアドレスはＢＤアドレスのままであっても良いし、わかりやすく認識するために、制御モジュール内で老人の氏名やニックネーム、部屋番号等に変換することも可能である。親機であるブルートゥース受信機２は家庭用電源から電力を供給され、停電時にも動作する充電式のバックアップ電源を内蔵した装置であり、受信したＢＤアドレスを管理者や介護者用モニターに通知したり、受信したＢＤアドレスを持つ子機であるブルートゥース通信端末９の所持者の姓名および動向を制御モジュール４と表示モジュール６により文字で表示でき、音声モジュール７を利用することにより管理者や介護者に音声で報知することが可能である。例えば、常時徘徊癖のある○○さんが出口を越えると  “○○さんが外出します。”たまに徘徊する△△さんが出口を越えると“△△さんがドアの外にいます。”□□さんが出口付近に立ち止まると“□□さんが出口付近にいます。”というように音声で管理者や介護者に知らせる。“××さんが立ち止まりリターンし、戻ってきた場合も××さんが戻られました”との報知が可能である。
同時に親機のメモリー５には親機が受信した日時やＢＤアドレス等必要な情報を記録可能である。
【００１５】  請求項３に記載した発明は、痴呆症状のある複数の徘徊老人に装着されたブルートゥース無線通信端末９である子機の持つ、各々異なるＢＤアドレスとの交信に於いて、システムの親機と子機はそれぞれ複数台をほぼ同時作動可能で、複数の親機のブルートゥース受信部２それぞれがブルートゥース無線通信端末９である子機の持つ、各々異なる複数の子機のＢＤアドレスを認識でき、複数のＢＤアドレスを識別可能であることを特徴とする痴呆症状のある徘徊老人保護システムである。
【００１６】  この発明によれば、同じ施設内の数ヶ所の出入口に設置された複数の親機はほぼ同時に受信したＢＤアドレスを認識、識別可能である。例えば野球のブルペンで複数のピッチャーの投げるボールの中にブルートゥース無線通信端末を内蔵させ、投げる球を識別することは、ボールの速度等から考察すると難しいが、本発明がターゲットとした老人の歩く速度や走る速度程度であれば、ほぼ同時ということが可能なのである。また、親機には、あらかじめ複数台の各々異なるブルートゥース無線通信端末９である子機のＢＤアドレスの入力、メモリーが出来、追加や削除も可能である。
【００１７】  請求項４に記載した発明は、痴呆症状のある徘徊老人に装着されたブルートゥース無線通信端末９であるが通常時は他人に装着していることがわかりにくくなっており、その装着や作動は老人の人権や自尊心を虐げないものであることを特徴とする痴呆症状のある徘徊老人保護システムである。
【００１８】  この発明によれば、老人の人権や自尊心を虐げないということに特に配慮し、形状については腕時計に内蔵５１されるものであっても、ブレスレットタイプ５２、ベルト内蔵タイプ５４、ネックレスタイプ５３、携帯電話のストラップタイプ５５等々、加重がかかっても壊れにくいもので生活防水が可能なものであれば形状は様々考えられる。
【００１９】  請求項５に記載した発明は、親機と子機の通信において新たな電話回線使用料を発生させることなく通信を行えることを特徴とする痴呆症状のある徘徊老人保護システムである。
【００２０】  この発明によれば、本発明は主たる通信手段として、免許なしで自由に使うことのできる近距離無線通信であるブルートゥースの送受信を使用するため、その通信方法は本システムを利用するにあたり、電話回線使用料やパケット通信料、月々のソフトウエア使用料等一切の通信費を発生させることなく通信を行うことが出来る。また、施設内に敷設されたコンピュータ回線と本システム専用のソフトウエアを利用することによって、複数台の親機であるブルートゥース受信機２同士の同時通信が可能になるため、本システム内の相互の報知も可能となる。
【発明の効果】
【００２１】  以上説明したように本発明によれば、人権、人間の尊厳に配慮しながら、被保護者としての痴呆症状のある徘徊老人が施設からの無断外出し、徘徊したり迷子になったりすることを未然に防止し、保護することができる。
【００２２】  また、その費用も被保護者に持たせるブルートゥース無線通信端末９である子機と各出入口に設置する親機であるブルートゥース受信機２という簡素なものであるため、安価であるし、あらかじ施設内に敷設された防犯カメラやモニターとの併用によっても安全管理の質が向上する。施設内の通信はすでに敷設されているコンピュータ回線やナースコール用インターフォン回線を使えば新たに費用が発生しない。例え施設内に回線が敷設されていない施設であっても、複数台の無線ＬＡＮユニットや固定料金の通信モジュールを使用すれば、人件費に比べて相当なコストを低減でき、被保護者としての痴呆症状のある徘徊老人の安全性を向上させるとともに、施設としての管理効率も向上することが出来る。
【図面の簡単な説明】
【００２３】
【図１】  本発明に係るブルートゥース信号の送受による痴呆症状のある徘徊老人保護システムの一実施形態を示し、ブルートゥースモジュールを含めた全体の概略構成を説明するための概略図である。
【図２】  本発明に係るブルートゥース信号の送受による痴呆症状のある徘徊老人保護システムに無線ＬＡＮユニット２１を接続する場合の一実施形態を示し、ブルートゥースモジュールを含めた全体の概略構成を説明するための概略図である。
【図３】  本発明に係るブルートゥース信号の送受による痴呆症状のある徘徊老人保護システム２に外部表示端末１４を接続した場合のシステムとしては最小構成となる実施形態を示し、ブルートゥースモジュールを含めた全体の概略構成を説明するための概略図である。
【図４】  本発明に係るブルートゥース信号の送受による痴呆症状のある徘徊老人保護システムが単数のブルートゥース無線端末９と通信し、複数のブルートゥース受信部２を駆動させる場合の一実施形態を示し、ブルートゥース信号の送受によるブルートゥースモジュールを含めた全体の概略構成を説明するための概略図である。
【図５】  本発明に係るブルートゥース信号の送受による痴呆症状のある徘徊老人保護システムが複数のブルートゥース無線端末９と通信し、単数のブルートゥース受信部２を駆動させる場合の一実施形態を示し、ブルートゥース信号の送受によるブルートゥースモジュールを含めた全体の概略構成を説明するための概略図である。
【図６】  はブルートゥース無線端末９における、形状の一例である。
【発明を実施するための最良の形態】
【００２４】  以下、本発明を図示実施例に従い詳述する。【００２５】  ［図１］は本発明に係るブルートゥース信号の送受による痴呆症状のある徘徊老人保護システムの一実施形態を示し、同図において、符号１で示すブルートゥース信号の送受による痴呆症状のある徘徊老人保護システムは、ブルートゥース無線端末９が内蔵アンテナ１１を通じてブルートゥース受信モジュール３の電波受信圏内に入ったこと検知すると通報するものであって、その受信部であるブルートゥース受信部２は、ブルートゥース無線端末９との間でブルートゥース通信を行うブルートゥース受信モジュール３とその内蔵アンテナ１０と、施設内の出入口に設置されたこのブルートゥース受信モジュール３が受信したＢＤアドレスを識別する制御モジュール４とＢＤアドレス表示モジュール６、ブルートゥース無線端末９所持者に対して声をかけたり、あるいは管理者や介護者等の周囲に知らせる音声モジュール７とその報知手段であるスピーカー８からなる。これらを一体的に組み合わせてユニット化することでブルートゥース信号の送受による痴呆症状のある徘徊老人保護システム１が構成されている。【００２６】  ブルートゥース受信部２は、ブルートゥース信号の送受による痴呆症状のある徘徊老人保護システム１の手段として施設内コンピュータ１２に接続されるように構成され、その内部にはブルートゥース無線端末９のブルートゥースアドレスを識別する制御モジュール４と、この制御モジュール４がブルートゥース無線端末９の内蔵アンテナ１１から送信されたＢＤアドレス通信信号の受信を行うブルートゥース受信モジュール３が設けられている。ブルートゥース受信モジュール３にはブルートゥース無線端末９からの通信を受信する内蔵アンテナ１０が組み込まれており、ブルートゥース無線端末９のＢＤアドレス情報を常時受信する。制御モジュール４は、上述したブルートゥース無線端末９のＢＤアドレスの信号が、あらかじめメモリー５に登録されている信号と同じＢＤアドレスと同一であるかどうかを識別し、音声モジュール７に対し動向に対応したあらかじめ入力してある音声データから該当データを選択し、スピーカー８から出力すると共に、施設内コンピュータ１２に対しＢＤアドレス情報および動向を示すコマンドをデジタル信号で送信するよう構成されている。また、施設内コンピュータ１２は施設内ＬＡＮ回線１３等を経由して別の場所に設置されている別の親機のブルートゥース受信部２を接続した施設内コンピュータと、制御モジュール４が発したデジタル信号の共有が可能である。【００２７】  また、制御モジュール４は、施設内コンピュータ１２からの制御信号によって音声モジュール７を通じて、任意に音声データをスピーカー８から出力させることも可能な構成になっている。もちろん、メモリー５に登録されているＢＤアドレス信号と同じＢＤアドレスを受信した際、音声モジュール７に対し動向に対応した声データをスピーカー８から出力さないように設定することも可能である。【００２８】  図中のＢＤアドレス表示モジュール６は、ブルートゥース無線端末９のＢＤアドレスが、ブルートゥース受信部２にメモリーされた番号と同一であるかを確認できる表示部であり、また再設��を行った時等に、ＢＤアドレス等が正しくメモリーされているか否かの確認ができる。このようなＢＤアドレス表示モジュール６としては、安価な液晶モノクロ表示で十分である。【００２９】  ［図２］は本発明に係るブルートゥース信号の送受による痴呆症状のある徘徊老人保護システムに無線ＬＡＮユニット２１を接続する場合の一実施形態を示し、制御モジュール４において、施設内コンピュータ１２との通信は有線を基本としているが、小規模施設において施設内ＬＡＮ回線が敷設されていないケースでは無線ＬＡＮユニット２１を接続することで、無線ＬＡＮによる通信および制御も可能となる。この接続形態では痴呆症状のある徘徊老人保護システムの設置自由度が高く、複数台設置した場合でも１台の施設内コンピュータ１２で通信および制御が可能であり、あらかじめアプリケーションソフトをインストールしておけば、無線ＬＡＮを内蔵したスマートフォン２２にて通信および制御を行うことや、状況を把握することも可能となる。【００３０】  ［図３］は本発明に係るブルートゥース信号の送受による痴呆症状のある徘徊老人保護システム２に外部表示端末１４を接続した場合のシステムとしては最小構成となる実施形態を示し、老人介護施設等にて、符号１で示すブルートゥース信号の送受による痴呆症状のある徘徊老人保護システムを複数台、利用する場合、コンピュータに接続して統合制御を行うことで、施設からの入退室を判断するなど細かな管理を行うことが可能となる。しかしながら、個人宅では介護者が高齢であるなどのケースが多々あり、利用者が必ずしもコンピューター機器やスマートフォンの扱いに慣れているわけではない。また、個人宅等では敷地の出入り口や集合住宅のドア付近にブルートゥース信号の送受による痴呆症状のある徘徊老人保護システム１を１台設置すれば事足りるケースも考えられる。このようなケースでは家人が集うリビング等に外部表示端末１４を設置することで、コンピューターを利用することなくブルートゥース信号の送受による痴呆症状のある徘徊老人保護システム１が動作したことを確認することが可能となる。この外部表示端末１４にはブルートゥース受信部２に内蔵された音声モジュール７及びスピーカー８、表示モジュール６と同様のモジュールが内蔵されており、状況に応じて任意に入力した音声データを出力させると共に、その動向をモニター表示させることが可能となっている。【００３１】  また、外部表示端末１４には複数台の徘徊老人保護システム２を接続することが可能でり、その場合、例えば部屋の出入り口に設置したシステムが動作したのか、玄関に設置したシステムが動作したのか、裏口に設置したシステムが動作したのかを判別できる仕様となっている。【００３２】  ［図４］は本発明に係るブルートゥース信号の送受による痴呆症状のある徘徊老人保護システムが単数のブルートゥース無線端末９と通信し、複数のブルートゥース受信部２を駆動させる場合の一実施形態を示し、ブルートゥース信号の送受によるブルートゥースモジュールを含めた全体の概略構成を説明するための概略図である。【００３３】  ［図５］は単数のブルートゥース受信部２と、複数のブルートゥース無線端末９の実行例である。複数の���ルートゥース受信部２と複数のブルートゥース無線端末９の図は省略する。【００３４】  なお、本発明は上述した実施の形態で説明した構造上、複数のブルートゥース無線端末９のＢＤアドレスのＩＤ番号にあらかじめ指令優先順位をメモリーすることによって指令における混信を回避することができる。【００３５】  ［図６］はブルートゥース無線端末９における、形状の一例である。ブルートゥース無線端末９は老人の負担にならない重量のものが好ましく、加重がかかっても壊れにくいもので生活防水が可能なものであれば形状は様々考えられる。
【符号の説明】
【００３６】  １    ブルートゥース信号の送受による痴呆症状のある徘徊老人保護システム
２    ブルートゥース受信部
３    ブルートゥース受信モジュール
４    制御モジュール
５    メモリー
６    表示モジュール
７    音声モジュール
８    スピーカー
９    ブルートゥース無線通信端末
１０    内蔵アンテナ
１１    内蔵アンテナ
１２    施設内コンピュータ
１３    施設内ＬＡＮ回線
１４    外部表示端末
２１    無線ＬＡＮユニット
２２    スマートフォン
５１    腕時計に内蔵
５２    ブレスレットタイプ
５３    ベルト内蔵タイプ
５４    ネックレスタイプ
５５    携帯電話のストラップタイプ
【図１】
2013143123.tif 000003
【図２】
2013143123.tif 000004
【図３】
2013143123.tif 000005
【図４】
2013143123.tif 000006
【図５】
2013143123.tif 000007
【図６】
2013143123.tif 000008